(57)【要約】【課題】  少なくとも緊急警報信号の受信を含む所定条件の成立に応じて、緊急警報放送の放送内容の表示が可能な表示可能状態となるように起動するようにされた緊急警報放送システム対応型のテレビジョン受像機について、災害地域でのテレビジョン受像機が一斉に起動してしまうことによる電力集中を有効に回避する。【解決手段】上記所定条件の設立に応じて、少なくとも全てのテレビジョン受像機が同じタイミングで起動されないようにして設定される待ち時間の情報に基づき起動するようにした。これによれば、テレビジョン受像機を或る程度ランダムに起動させることができるので、電力集中を回避できる。【選択図】図４
2007020132.tif 000002
【特許請求の範囲】
【請求項１】
少なくとも緊急警報信号の受信を含む所定条件の成立に応じて、緊急警報放送の放送内容の表示が可能な表示可能状態となるように起動するようにされたテレビジョン受像機であって、
電源状態として、上記緊急警報信号の受信が可能な受信可能状態と、上記表示可能状態との切り換えが可能とされた電源手段と、
上記所定条件の設立に応じて、少なくとも全てのテレビジョン受像機が同じタイミングで起動されないようにして設定される待ち時間の情報に基づき、電源状態が上記表示可能状態に切り換えられるように上記電源手段を制御する制御手段と、
を備えることを特徴とするテレビジョン受像機。
【請求項２】
上記待ち時間は、
所要数のテレビジョン受像機ごとに、予め定められた所定の最大待ち時間までを範囲とした複数の起動タイミングのうちから異なる起動タイミングが割り振られるようにして設定されるものである、
ことを特徴とする請求項１に記載のテレビジョン受像機。
【請求項３】
上記制御手段は、
個々のテレビジョン受像機に固有となるようにして割り与えられた識別番号の情報に基づき上記待ち時間の設定を行う、
ことを特徴とする請求項１に記載のテレビジョン受像機。
【請求項４】
上記制御手段は、
個々のテレビジョン受像機に固有となるようにして割り与えられた識別番号を所定値で割った余りの値を上記待ち時間として設定する、
ことを特徴とする請求項１に記載のテレビジョン受像機。
【請求項５】
上記制御手段は、
ＭＡＣアドレスの下位１バイト分の値を所定値で割った余りの値を上記待ち時間として設定する、
ことを特徴とする請求項１に記載のテレビジョン受像機。
【請求項６】
上記所定条件は、上記緊急警報信号が受信され、且つ緊急警報信号と共に発信される地域識別子と予め上記テレビジョン受像機に設定される地域識別子とが一致することである、
ことを特徴とする請求項１に記載のテレビジョン受像機。
【請求項７】
少なくとも緊急警報信号の受信を含む所定条件の成立に応じて、緊急警報放送の放送内容の表示が可能な表示可能状態となるように起動するようにされたテレビジョン受像機の起動方法として、
上記所定条件の設立に応じて、少なくとも全てのテレビジョン受像機が同じタイミングで起動されないようにして設定される待ち時間の情報に基づいて起動するようにした、
ことを特徴とする起動方法。
【発明の詳細な説明】
【技術分野】
【０００１】
本発明は、少なくとも緊急警報信号の受信を含む所定条件の成立に応じて、緊急警報放送の放送内容の表示が可能な表示可能状態となるように起動するようにされたテレビジョン受像機とその起動方法に関する。
【背景技術】
【０００２】
テレビジョン放送では、地震や津波等の非常災害時に、緊急警報信号を発信してテレビジョン受像機側を制御することで、緊急災害に関する情報提供のための緊急警報放送を受信させる緊急警報放送発令システムを有している。
このような緊急警報放送発令システムに対応したテレビジョン受像機では、緊急警報信号が受信され、且つ放送局側から発信される災害発生地域を示す地域識別子が予め設定された地域識別子と一致することに応じ、電源を起動するようにされる。すなわち、緊急警報信号の受信が可能な状態で待機しており、緊急警報放送の受信などの上記した所定条件が満たされたことに応じて、表示ディスプレイ部を始めとしたセット全体を起動させる。これによって自動的に緊急警報放送の放送内容の表示が可能となるようにされているものである。
【０００３】
なお、関連する従来技術については下記の特許文献を挙げることができる。
【特許文献１】特開平１０−３１５３６号公報
【発明の開示】
【発明が解決しようとする課題】
【０００４】
このような緊急警報放送システム対応型のテレビジョン受像機は、緊急事態の発生時においてユーザ操作なしに緊急警報放送内容を提供できることから、非常に有用性が高いものであると言える。
しかしながら、上記のような従来の緊急警報放送対応型テレビジョン受像機では、緊急警報信号の発信に応じて、該当する地域の対応型テレビジョン受像機が一斉に起動してしまうことになる。つまりは、これによってその地域における電力消費量が急激に増加して該当地域での電力集中が生じ、発電施設等に悪影響を与えてしまうという問題が起こりかねない。
特にテレビジョン受像機としては、他の家庭用電子機器と比較して消費電力が比較的大きなものとなるので、発電施設等に与える影響はその分大きなものとなってしまう。
【課題を解決するための手段】
【０００５】
そこで、本発明では以上のような問題点に鑑み、テレビジョン受像機として以下のように構成することとした。
つまり、少なくとも緊急警報信号の受信を含む所定条件の成立に応じて、緊急警報放送の放送内容の表示が可能な表示可能状態となるように起動するようにされたテレビジョン受像機であって、先ず、電源状態として、上記緊急警報信号の受信が可能な受信可能状態と、上記表示可能状態との切り換えが可能とされた電源手段を備える。
その上で、上記所定条件の設立に応じて、少なくとも全てのテレビジョン受像機が同じタイミングで起動されないようにして設定される待ち時間の情報に基づき、電源状態が上記表示可能状態に切り換えられるように上記電源手段を制御する制御手段を備えるようにした。
【発明の効果】
【０００６】
このようにして、少なくとも全てのテレビジョン受像機が同じタイミングで起動されないようにされることで、テレビジョン受像機の起動タイミングは或る程度分散させることができ、これによって電力集中の抑制を図ることができる。そして、電力集中が抑制されることで、発電施設等に与える影響も緩和することができる。
【発明を実施するための最良の形態】
【０００７】
以下、発明を実施するための最良の形態（以下実施の形態とする）について説明していく。
図１は、本発明における実施の形態としてのテレビジョン受像機１の内部構成を示したブロック図である。
実施の形態のテレビジョン受像機１としては、地上波デジタル放送に対応したテレビジョン受像機とされる。また、地震や津波等の非常災害時に、放送局側が発信した緊急警報信号によりテレビジョン受像機側を制御することで、緊急災害に関する情報提供のための緊急警報放送を受信させる緊急警報放送発令システム（ＥＷＳ：Emergency Warning System）に対応した構成が採られる。
【０００８】
先ず、地上波デジタル放送による放送信号は、図示するアンテナ２によって受信され、内蔵のＬＮＢ（Low Noize Block Down Converter）によって所定の高周波信号に変換され、テレビジョン受像機１内に設けられたデジタル放送受信・選局部３に供給される。
デジタル放送受信・選局部３は、このように所定の周波数に変換された受信信号として、後述するシステムコントローラ１０からの指示に基づき決定されるキャリア（受信周波数）を受信し、さらにシステムコントローラ１０からの指示に基づく選局動作などを行うようにされる。
【０００９】
なお、図示は省略しているが、このデジタル放送受信・選局部３を始めとしたテレビジョン受像機１内の各部（ＭＰＥＧデコーダ４、映像信号処理部５、音声信号処理部８、表示部６）とシステムコントローラ１０とのデータのやりとりは、図中のバス１４を介して行うようにされる。
【００１０】
ここで、このデジタル放送受信・選局部３の内部構成を次の図２に示しておく。
この図２に示されるように、アンテナ２からの受信信号は、デジタル放送受信・選局部３の内のフロントエンド部３０に対して入力される。
フロントエンド部３０は、システムコントローラ１０から供給される伝送諸元等を設定した設定信号に基づいて、上記受信信号としてこの設定信号により決定されるキャリア（受信周波数）を受信する。
なお、このフロントエンド部３０と、以下で説明する復調・誤り訂正部３１、デマルチプレクサ３２としても、上記したバス１４を介してシステムコントローラ１０とのデータ通信を行うようにされる。
【００１１】
復調・誤り訂正部３１は、上記フロントエンド部３０にて得られたキャリアに対し例えばビタビ復調処理等の復調処理や誤り訂正処理等を施すことで、ＴＳ（Transport Stream）を得るようにされる。
ここで、デジタル放送の規格によるＴＳは、周知のように、例えばＭＰＥＧ２(Moving Picture Experts Group Layer2)方式によって、複数のプログラム（番組）のビデオ信号及びオーディオ信号を圧縮した圧縮データと、各種の付加情報が多重化されている。また、放送側が挿入する付加情報としては、ＰＡＴ(Program Association Table)、ＰＭＴ(Program Map Table)などのＰＳＩ(Program Specific Information：番組特定情報）テーブルや、ＳＩ(Service Information:番組配列情報）などが挙げられる。さらには、システム識別情報、伝送パラメータ切り換え指標、緊急警報放送用起動フラグなどを含んだＴＭＣＣ（Transmission and Multiplexing Configuration and Control）情報もある。
上記各情報の多重化は、ＴＳを１８８バイトのトランスポートストリーム・パケット（ＴＳパケット）により形成するようにして、このＴＳパケットに対して、上記したＥＳ及び各種付加情報を格納することにより行われる。
なお、上記したフロントエンド部３０では、ＴＳからＰＳＩ(Program Specific Information:番組特定情報)のパケットを取得し、その選局情報を更新すると共に、ＴＳにおける各チャンネルのコンポーネントＰＩＤ(Program ID)を得て、例えばシステムコントローラ１０に伝送する。システムコントローラ１０では、取得したＰＩＤを受信信号処理に利用することになる。
【００１２】
また、復調・誤り訂正部３１では、上記したキャリアに対する復調処理・誤り訂正処理により、上述したＴＭＣＣ情報における緊急警報放送用起動フラグの情報が得られる。
復調・誤り訂正部３１は、このようなＴＭＣＣ情報中の起動フラグの値を参照し、その値が所定値となっているか否かを判別する。すなわち、この起動フラグの値（起動ビットとも言う）が所定値であることに応じて緊急警報信号が検出されることになる。緊急警報信号を検出した場合、システムコントローラ１０に対してＥＷＳ通知を行う。例えば、緊急警報信号が検出されていない場合はＬ、検出された場合はＨによる信号をシステムコントローラ１０に供給するようにされる。
ここでは、復調・誤り訂正部３１におけるこのような緊急警報信号の検出のための機能部を、図示するようにＥＷＳ検出部３３として示している。またこれに応じ、システムコントローラ１０に対するＥＷＳ通知はこのＥＷＳ検出部３３から出力されるものとして示している。
【００１３】
デマルチプレクサ３２では、システムコントローラ１０から設定されたフィルタ条件に従って、ＴＳから必要なＴＳパケットを分離する。これによりデマルチプレクサ３２においては、目的とする１つのプログラムについてのＴＳパケットとして、例えば映像番組としての、ＭＰＥＧ２方式により圧縮されたビデオデータのＴＳパケットと、ＭＰＥＧ２方式により圧縮されたオーディオデータのＴＳパケットを得ることになる。
また、これと共にデマルチプレクサ３２は、上記フィルタ条件に従った必要なＴＳパケットとして、上記したＰＳＩやＳＩのパケット（以下ＰＳＩ／ＳＩデータと呼ぶ）を取得する。
【００１４】
デマルチプレクサ３２にて得られた上記圧縮ビデオデータと圧縮オーディオデータとしてのＴＳパケットは、図１に示されるＭＰＥＧデコーダ４に対して供給される。
なお、このようにＭＰＥＧデコーダ４に入力される圧縮ビデオ／オーディオデータの個別パケットは、ＰＥＳ(Packetized Elementary Stream)と呼ばれる形式とされる。
【００１５】
説明を図１に戻す。
ＭＰＥＧデコーダ４は、図２に示したデマルチプレクサ３２からの圧縮ビデオデータ及び圧縮オーディオデータについてのデコード（伸長）処理を行う。
このＭＰＥＧデコーダ４には、上記圧縮ビデオデータをＭＰＥＧ２フォーマットに従ってデコードするビデオデコーダと、上記圧縮オーディオデータについて、ＭＰＥＧ２フォーマットに従って、上記ビデオデータ出力に同期させるようにしてデコードするオーディオデコーダとを備えている。
この場合、デコードされたビデオデータについては、例えばＮＴＳＣ方式などの所定のテレビジョン方式に対応して適正に画像表示が行われるように所要の信号処理を施して、デジタルビデオデータ（Video）を得る。
また、デコードされたオーディオデータについてはデジタルオーディオデータ（Audio）として出力される。
【００１６】
ＭＰＥＧデコーダ４にて得られたデジタルオーディオデータは、音声信号処理部８に供給されて所要の音声信号処理が施され、アナログオーディオ信号に変換されてスピーカ９より音声出力される。
また、上記デジタルビデオデータは、映像信号処理部５に供給され、ここにおいて垂直・水平同期信号検出や各種映像信号処理が行われる。
表示部６は、例えばＣＲＴ（Cathode Ray Tube）やＬＣＤ（Liquid Crystal Display）、ＰＤＰ（Plasma Display Panel）といった表示ディスプレイを備え、映像信号処理部５からの出力に基づく画像表示を行う。
【００１７】
電源回路７は、図示されない商用交流電源を入力して動作するＡＣ→ＤＣコンバータとして構成され、生成された直流出力電圧に基づき当該テレビジョン受像機１内の各部に動作電源を供給する。
図示するように電源回路７は、システムコントローラ１０に対するスタンバイ電源Ｅｓｔと、デジタル放送受信・選局部３に対するチューナ系電源Ｅｔと、ＭＰＥＧデコーダ４に対するデコーダ系電源Ｅｄと、映像信号処理部５・音声信号処理部８・表示部６に対するセット系電源Ｅｓとを、それぞれ分けて供給することが可能に構成されている。これらのうち、チューナ系電源Ｅｔ、デコーダ系電源Ｅｄ、セット系電源Ｅｓの出力制御は、後述するようにシステムコントローラ１０により行われる。
【００１８】
システムコントローラ１０は、当該テレビジョン受像機１の全体制御を行う。
メモリ部１２は、システムコントローラ１０が備えるＲＯＭ、ＲＡＭ等のメモリを包括的に示してる。システムコントローラ１０はこのメモリ部１２内に格納されたプログラムに従って各部を制御するようにされる。
【００１９】
また、システムコントローラ１０に対しては、ユーザが当該テレビジョン受像機１に対する各種動作指示を行うことを可能とするためのユーザインタフェース（Ｉ／Ｆ）１１が設けられる。このユーザインタフェース１１は、当該テレビジョン受像機１の筐体外部に表出するようにして設けられた各種操作キーや、図示されないリモートコントローラからのコマンド信号を受信するためのコマンド受信部を含む。
システムコントローラ１０は、ユーザインタフェース１１を介して得られた操作情報に応じて各部を制御するようにされ、これによってユーザの指示に応じた動作が実行されるようになっている。
【００２０】
また、システムコントローラ１０に対しては、ネットワークインタフェース（Ｉ／Ｆ）１３が接続され、これによってインターネット等の所定のネットワークに接続可能とされている。
ここで、周知のようにネットワーク接続のためのインタフェースデバイスに対しては、固有の識別番号情報としてＭＡＣ（Media Access Control）アドレスが割り与えられている。このＭＡＣアドレスの情報は、例えば上記したメモリ部１２内に格納されており、システムコントローラ１０はネットワーク接続時に必要に応じてこのＭＡＣアドレスを読み出して用いることが可能とされている。
【００２１】
また、上記もしたようにシステムコントローラ１０としては、電源回路７の出力電源についての制御を行うようにされる。このような電源の出力制御は、図示するように電源回路７に対して供給されるチューナ系電源制御信号Ｓ-EWS、デコーダ系電源制御信号Ｓ-Dec、セット系電源制御信号Ｓ-Setによって行う。
【００２２】
ここで、テレビジョン受像機１における電源状態は、次の図３のように制御される。
先ず、スタンバイ状態は、システムコントローラ１０にスタンバイ電源Ｅｓｔが供給されている状態である。これによってリモートコントローラ等による操作の受付やタイマーに基づく起動が可能とされている。このスタンバイ状態では、システムコントローラ１０はチューナ系電源制御信号Ｓ-EWS、デコーダ系電源制御信号Ｓ-Dec、セット系電源制御信号Ｓ-Setとして全てＬを出力するようにされる。
【００２３】
また、受信・選局可能状態は、デジタル放送受信・選局部３による放送信号についての受信・選局が可能な最小限の電源状態であり、スタンバイ電源Ｅｓｔと共に、デジタル放送受信・選局部３に対するチューナ系電源Ｅｔが供給される状態である。つまり、この場合はチューナ系電源制御信号Ｓ-EWSはＨ、デコーダ系電源制御信号Ｓ-Decとセット系電源制御信号Ｓ-SetはＬを出力するようにされる。
この受信・選局可能状態が、緊急警報信号の受信を待機する電源状態に該当する。
【００２４】
予約録画実行状態は、予約録画動作時において、当該テレビジョン受像機１において受信・選局されて得られた放送コンテンツとしてのビデオデータ及びオーディオデータを、外部の録画機器に対して出力する（図中ＡＶ出力）ときの電源状態である。この場合、チューナ系電源制御信号Ｓ-EWS及びデコーダ系電源制御信号Ｓ-DecとしてＨ、セット系電源制御信号Ｓ-SetとしてはＬを出力する。
【００２５】
また、セットオン状態は、当該テレビジョン受像機１のセット全体が起動している電源状態であり、表示部６において画像表示が行われる状態はこのセットオン状態に該当する。このセットオン状態では、チューナ系電源制御信号Ｓ-EWS、デコーダ系電源制御信号Ｓ-Dec、セット系電源制御信号Ｓ-Setの全てをＨ出力する。
【００２６】
ここで、図１において、システムコントローラ１０は、上記のような受信・選局可能状態の下で、ＥＷＳ検出部３３より緊急警報信号の受信を通知するＥＷＳ通知が行われたことに応じて、緊急警報放送の放送内容の表示が可能となるようにするための制御処理を行うようにされる。
本実施の形態のテレビジョン受像機１のように、緊急警報放送発令システムに対応したテレビジョン受像機では、緊急警報信号が受信され、且つその緊急警報が示す地域情報が予めテレビジョン受像機１に設定された地域指定情報と一致したときに、緊急警報放送の内容表示が可能な状態に起動するようにされている。
このような動作の実現のため、システムコントローラ１０は以下のような動作を行う。
先ず、ＥＷＳ検出部３３より緊急警報信号の受信を通知するＥＷＳ通知が為されたことに応じ、デジタル放送受信・選局部３にて得られているＴＳのＰＭＴ中における緊急情報記述子を参照し、この緊急情報記述子中の「Start_end_flag」の値を判別する。
この緊急情報記述子中の「Start_end_flag」は、緊急警報の開始／終了を示す値であり、緊急警報信号の発信に応じては”１”が記述され終了に応じて”０”が記述される。従ってシステムコントローラ１０は、上記したＥＷＳ通知の供給に応じて、この「Start_end_flag」が”１”となっているかを確認することで緊急警報信号が発信中であることを再確認できる。
また、これと共にシステムコントローラ１０は、上記緊急情報識別子中の「area_code」を参照し、この「area_code」と予めテレビジョン受像機１に対して設定された県域指定のための地域指定子とが一致しているか否かを判別する。
そして、これらが一致した場合、システムコントローラ１０はさらにＰＭＴ中の「service_id」に記述されたチャンネル情報を取得し、そのチャンネルを選局するようにデジタル放送受信・選局部３を制御する。
その上で、チューナ系電源制御信号Ｓ-EWS、デコーダ系電源制御信号Ｓ-Dec、セット系電源制御信号Ｓ-Setの全てをＨとし、当該テレビジョン受像機１の電源状態をセットオン状態に遷移させる。これによって緊急警報放送の放送内容が表示部６にて表示される。
【００２７】
なお、確認のために述べておくと、上記県域指定子は、予めユーザ操作に応じてテレビジョン受像機１に対して設定されるものである。この県域指定子が設定されることで、地上波デジタル放送にて映像コンテンツに付随して提供されるデータ放送（例えば番組案内情報やニュース・天気予報といった情報など）のうち、地域性を有する情報（特に天気予報の情報など）として該当地域の情報を表示するといったことが可能となる。
この地域指定子の情報は例えばメモリ部１２に格納される。
【００２８】
また、上記説明によると、緊急警報信号に応じた自動起動機能は、テレビジョン受像機１が受信・選局可能状態で待機しているときに実現される機能であり、システムコントローラ１０にのみ電源が供給されるスタンバイ状態では行われない機能となる。
この場合、スタンバイ状態、受信・選局可能状態は共に、例えばリモートコントローラの操作によって電源をオフとする操作が行われたことに応じて遷移する電源状態とされる。このような電源オフ操作によりスタンバイ状態に遷移するか受信・選局可能状態に遷移するかは、予めユーザ操作に基づいて選択可能とされ、これによってユーザは上記自動起動機能をオンとするかオフとするかの選択が可能とされる。
また、他の見方をすれば、ユーザはこのような選択機能により電源オフ操作に応じてスタンバイ状態に遷移させるように選択することで、テレビジョン受像機１の待機時消費電力を低減させることが可能なる。
【００２９】
ところで、これまでで説明したテレビジョン受像機１の自動起動機能として、緊急警報信号が受信され、且つ緊急情報識別子中の「area_code」と予め設定された県域指定子とが一致されたことに応じて、直ちにセットオン状態に遷移して緊急警報放送の放送内容が可能な状態に起動してしまうと、該当する地域でのテレビジョン受像機１が一斉にセットオン状態に起動してしまい、該当地域での電力需要が集中して発電施設等に悪影響を与えてしまう可能性がある。
特に、テレビジョン受像機は、家庭用電子機器の中でも消費電力が比較的大きいものであるので、この場合の発電施設等への影響は相当に大きなものとなる可能性がある。
【００３０】
そこで、本実施の形態では、上記のような自動起動機能として各テレビジョン受像機１が同時に起動されないように、少なくとも全てのテレビジョン受像機が同時に起動されないように起動までの待ち時間を設定するものとする。これによれば、或る程度ランダムにテレビジョン受像機１を起動させることができ、電力集中の抑制を図ることができる。
そして、特に本実施の形態としては、このように或る程度ランダムにテレビジョン受像機１を起動させるにあたり、所要数のテレビジョン受像機１ごとに、予め定められた所定の最大待ち時間までを範囲とした複数の起動タイミングのうちから異なる起動タイミングが割り振られるように、待ち時間が設定されるようにする。つまり、例えば待ち時間の最大値を１０秒とした場合は、所要数のテレビジョン受像機１ごとに、０〜１０までの複数の起動タイミングのうちの異なる１つが割り振られるようにするものである。
【００３１】
このような本例としての待ち時間の設定は、例えばテレビジョン受像機１に割り振られた固有の番号情報を、予め定められた所定値で割った余りの値を待ち時間として設定することで実現できる。
以下では、このようなテレビジョン受像機１に固有な識別番号情報として、ネットワークインタフェース１３に割り振られたＭＡＣアドレスの情報を利用するものとし、従って待ち時間は、上記ＭＡＣアドレスの値を所定値で割った余りの値を設定するものとする。
【００３２】
ここで、上記のように固有値であるＭＡＣアドレスの値を所定値で割ると、その余りの値としては、”０”から上記所定値までの範囲で異なる数値を得ることができる。つまり、例えば上記所定値として”１０”を設定した場合には、０〜９の範囲でそれぞれ異なる値を得ることができ、これによって待ち時間は０〜９秒の範囲でランダムに設定することが可能となる。すなわち、起動タイミングは０〜９秒の範囲内の１０個が得られ、テレビジョン受像機１の起動タイミングは、そのうちの何れか１つとなるように割り振ることができる。
このとき、例えばテレビジョン受像機１の総数が1,000台であると仮定すると、上記のように所定値として”１０”を設定することによっては、１００台のテレビジョン受像機１ごとに、上記０〜９秒の何れかの待ち時間（つまり起動タイミング）を割り振ることができる。つまり、1,000台のテレビジョン受像機１の起動タイミングとして、１０の起動タイミングのうちから１００台ごとにそれぞれ異なる起動タイミングが得られるように分散させることができる。
このようにして、各テレビジョン受像機１に割り振られた固有値を所定値で割った余りの値を待ち時間として設定することで、テレビジョン受像機１を或る程度ランダムに起動させることができる。これによって電力集中を効果的に抑制することができる。
【００３３】
ここで、上記説明からも理解されるように、本例としての待ち時間の設定によると、或る程度の数のテレビジョン受像機１は起動タイミングが同タイミングとなるようにされることになる。つまりは、例えば個々のテレビジョン受像機で厳密に起動タイミングが異なるようにされる場合と比較すれば、電力需要も或る程度は集中することにはなる。
しかしながら、厳密に各テレビジョン受像機１間で起動タイミングが異なるようにしてしまうと、待ち時間の時間長は最大でテレビジョン受像機１の台数分必要となり、これによって待ち時間が非常に長いテレビジョン受像機１が出てきてしまう。
そもそも本例のような自動起動機能としては、緊急警報放送という緊急性を要する放送の内容を自動的に起動して表示することを目的とするものであり、従って待ち時間の増加はこのような自動起動機能自体の意味を失わせるものとなってしまう。このことから、待ち時間は、上記本例のように、所要数のテレビジョン受像機１ごとに予め定められた所定の最大待ち時間までを範囲とした複数の起動タイミングのうちから異なる起動タイミングが割り振られるように設定されて、或る程度の数のテレビジョン受像機１間で同じとなるようにされている方が、自動起動機能の有用性を確保しつつ、起動タイミングに或る程度のランダム性を与えて電力集中を有効に防ぐことができて好ましいものとなる。
【００３４】
本実施の形態において、このような自動起動機能の有用性と電力集中の回避との程度を決定づけるのは、待ち時間の最大値を決定するための上記所定値となる。
このとき、上記所定値として設定する値が小さ過ぎると、起動タイミングが同タイミングとなるテレビジョン受像機１の台数が多くなり過ぎることで、起動時間のランダム性が損なわれ、電力集中の回避という点で好ましくない。一方で、上記所定値を大きくし過ぎると、起動タイミングが同タイミングとなるテレビジョン受像機１の数が少なくなって起動時間をより分散させることができて、電力集中回避の点では好ましいといえるが、待ち時間の最大値がその分大きくなって自動起動機能の意味が薄れてしまう。
これらを考慮すると、上記所定値としては、これら起動タイミングの分散と緊急起動性とを考慮した適切な値に設定されればよいことになる。
例えば本実施の形態では、このような所定値として”３０”を設定するものとし、起動タイミングは、このときのテレビジョン受像機１の総数に応じた所要数のテレビジョン受像機１ごとに、０〜２９秒までの範囲でランダムとなるようにしている。
【００３５】
続いて、図４には、上記した本実施の形態としての動作を実現するためにテレビジョン受像機１において行われるべき処理動作を示す。
なお、この図４に示す処理動作は図１（及び図２）に示したシステムコントローラ１０がメモリ部１２内に格納されたプログラムに基づいて実行するものである。
また、この図に示す処理動作は、電源状態が先の図３により説明した受信・選局可能状態にある場合に実行されるものである。
【００３６】
先ず、ステップＳ１０１では、ＥＷＳ通知を待機する。すなわち、図１（及び図２）に示したＥＷＳ検出部３３から緊急警報信号が受信された旨を示す信号が供給されるのを待機する。
ＥＷＳ検出部３３からＥＷＳ通知があった場合は、ステップＳ１０２に進み、起動条件成立確認処理を実行する。つまり、この起動条件成立確認処理としてシステムコントローラ１０は、先ずはデジタル放送受信・選局部３にて得られているＴＳのＰＭＴ中の緊急情報記述子を参照し、この緊急情報記述子中の「Start_end_flag」の値を参照する。また、これと共に、上記緊急情報識別子中の「area_code」を参照し、この「area_code」と予めテレビジョン受像機１に対して設定された県域指定のための地域指定子とを比較する。
【００３７】
そして、続くステップＳ１０３では、起動条件が成立したか否かについて判別を行う。
すなわち、上記「Start_end_flag」として、緊急警報信号が発信中を示す”１”が得られており、且つ上記のように比較された「area_code」と上記地域指定子とが一致するか否かを判別することで、起動条件が成立したか否かについて判別を行う。
ステップＳ１０３において、起動条件が成立していないとして否定結果が得られた場合は、図示するようにして先のステップＳ１０１に戻り、再度ＥＷＳ通知を待機するようにされる。
また、ステップＳ１０３において起動条件が成立したとして肯定結果が得られた場合は、次のステップＳ１０４に処理を進める。
【００３８】
ステップＳ１０４では、ＭＡＣアドレスの値を”３０”で割った余りの値を待ち時間として設定する。つまり、この場合はメモリ部１２内に格納されているＭＡＣアドレスの値を読み出し、これを所定値として設定された”３０”で割ってその余りの値を待ち時間として設定する。
そして、ステップＳ１０５ではタイムカウントをスタートし、続くステップＳ１０６では待ち時間の経過を待機する。つまり、カウント値が上記待ち時間として設定された値以上となるのを待機する。
【００３９】
そして、待ち時間が経過したとされた場合は、ステップＳ１０７において、先ずは緊急警報放送の選局処理を実行する。すなわち、デジタル放送受信・選局部３にて得られるＴＳからＰＭＴ中の「service_id」に記述されたチャンネル情報を取得し、そのチャンネルを選局するようにデジタル放送受信・選局部３を制御する。
続くステップＳ１０８では、デコーダ系電源制御信号Ｓ-Dec、セット系電源制御信号Ｓ-Setとして共にＨを出力する。
これにより、デコーダ系電源Ｅｄとセット系電源Ｅｓとがオンとなり、電源状態は受信・選局可能状態からセットオン状態に遷移し、この結果ステップＳ１０７にて選局された緊急警報放送の放送内容の表示が行われることになる。
【００４０】
このようにして本実施の形態では、ＭＡＣアドレスとしての各テレビジョン受像機１に固有な識別番号を、所定値で割った余りの値を待ち時間として設定するようにしたことで、上記所定値に応じて設定される最大待ち時間までを範囲とした複数の起動タイミングのうちから、所要数のテレビジョン受像機１ごとに異なる起動タイミングが割り振られるようにすることができる。すなわち、テレビジョン受像機１の起動タイミングは、最大待ち時間までの範囲内においてある程度ランダムに設定することができる。
これによれば、テレビジョン受像機１を或る程度ランダムに起動させることができると共に、待ち時間の最大値を上記所定値の設定により制限することができ、これによって電力集中の抑制と、上記待ち時間の制限による自動起動機能の有用性の確保との両立を図ることができる。
【００４１】
ここで、本発明としてはこれまでに説明した実施の形態に限定されるべきものではない。
例えば実施の形態では、テレビジョン受像機１が地上波デジタル放送のみに対応する構成とされる場合を例示したが、その他地上波アナログ放送、ＢＳデジタル放送、ＢＳアナログ放送等の他のテレビジョン放送に対応する構成とすることもできる。
【００４２】
また、本実施の形態では、テレビジョン受像機１がとり得る電源状態はスタンバイ状態、受信・選局可能状態、予約録画実行状態、セットオン状態の４つとしたが、予約録画実行状態がない場合としても、本発明は好適に適用できる。
また、とり得る電源状態が４つ以上とされる場合としても、緊急警報信号の受信の待機が可能となる受信・選局可能状態、及び緊急警報放送の放送内容の表示が可能となるセットオン状態の２つの電源状態が含まれる場合であれば、本発明は好適に適用できる。
【００４３】
また、実施の形態では、算出された待ち時間の値をそのまま秒単位の待ち時間として設定するものとしたが（図４中のステップＳ１０４参照）、例えば算出された値に所定の係数やオフセット値を与えた値を待ち時間に設定する等の変更を加えることもできる。
【００４４】
また、実施の形態では、ネットワークインタフェース１３に割り振られたＭＡＣアドレスの値の全てを用いて待ち時間の値を得る場合を例示したが、例えばＭＡＣアドレスの一部のみを用いて待ち時間の値を得るようにすることもできる。
図５は、ＭＡＣアドレスのデータ構造について示している。
例えばイーサネット（登録商標）の場合でのＭＡＣアドレスは、図示するように４８bit（６octet：１octet＝１byte）から構成されている。このうち、１octet〜３octetまでの上位３byte（２４bit）は、ＩＥＥＥ（米国電子電気学会）が製造業者（メーカ）ごとに管理・割り当てを行っているベンダ識別子（OUI：Organizationally Unique Identifier）とされる。これに対し４octet〜６octetまでの下位３byte分の値は、各製造業者が重複しないように独自に割り当てるアドレスとなっている。このような構造により、ＭＡＣアドレスは個々のネットワークインタフェース１３に固有の値となるようにされている。
ここで、このような構造によると、この場合は上位３byte分の値は同じメーカの製品同士では同じ値となるので、これを待ち時間の値の設定のために用いることはできず、従って待ち時間の値の設定には４octet〜６octetの下位３byte分の値を用いることが考えられる。しかし、これら４octet〜６octetについて、場合によっては４octetにおいて機種番号を表すようにされ、残りの５octetと６octetとでその機種内のシリアル番号を表すようにされることがある。このことを考慮すると、ＭＡＣアドレスの一部の値を用いた待ち時間の値の設定としては、５octet・６octetとしての、下位２byte分のみを用いることが考えられる。
但し、本実施の形態における待ち時間としては、先にも述べたように所定の最大待ち時間までを範囲とした複数の起動タイミングのうちから、所要数のテレビジョン受像機ごとに異なる起動タイミングが割り振られるように設定されることで、或る程度ランダムな待ち時間の設定と、最大待ち時間の制限の双方が可能となって、電力の集中化の防止と自動起動機能の有用性の確保との両立を図ることができるものである。このことを考慮すると、待ち時間算出に用いる値（つまり所定値で除算される値）としては、或る程度ばらつくことが想定される値であれば、これを割った余りの値は所要数のテレビジョン受像機ごとに異なる起動タイミングが割り振られるように設定されることに変わりないので、厳密に固有値である必要はないことになる。従ってこの場合は、６octetとしての下位１byte分の値を、待ち時間算出のための値として用いれば充分であることになる。すなわち、ＭＡＣアドレスの下位１byte分の値を所定値で除算した値の余りを待ち時間の値として設定するものである。
このようにして待ち時間の値の算出のために用いる値の桁数を少なくできれば、その分待ち時間算出のための処理負担を軽減することができる。
なお、処理負担の軽減について考慮しない場合などには、ＭＡＣアドレスの一部として、下位３byte分（４octet〜６octet）、又は下位２byte分（５octet及び６octet）の値を所定値で除算した余りを待ち時間として設定することもできる。この場合にも、設定される待ち時間としては、所定の最大待ち時間までを範囲とした複数の起動タイミングのうちから所要数のテレビジョン受像機ごとに異なる起動タイミングが割り振られるように設定できることに変わりはなく、従って電力の集中化の防止と自動起動機能の有用性の確保との両立を図ることができる。
【００４５】
また、実施の形態ではテレビジョン受像機１がネットワーク接続機能を有する構成とされ、各テレビジョン受像機１に固有な値としてＭＡＣアドレスを用いるものとした。しかしながら、ネットワーク接続機能のないテレビジョン受像機においても同様に固有値を用いた待ち時間の設定が可能である。
例えば、各テレビジョン受像機に固有となる情報としてはＢ−ＣＡＳ（Bs Conditional Access Systems）カードに記憶されたＩＤ情報や、工場出荷時等にセットごとに割り振られた製造番号情報等を挙げることができる。従って、このような情報を用いて実施の形態と同様の待ち時間設定を行うことで同様の効果を得ることができる。
なお、このことはネットワーク接続機能を有するテレビジョン受像機では必ずＭＡＣアドレスを用いることを意味するものではなく、ネットワーク接続機能を有するテレビジョン受像機においてもこれらＢ−ＣＡＳカードのＩＤ情報や製造番号情報を用いた待ち時間の設定を行う構成とすることができる。
また、この場合も上記したＭＡＣアドレスの場合と同様に、下位数byte分の値のみを用いることができることは言うまでもない。
【００４６】
また、テレビジョン受像機１に格納される固有値を所定値で割った余りの値を待ち時間に設定する以外にも、このような固有値の所定部分（例えば上位または下位数ビットなど）の値そのものを待ち時間に設定することによっても、少なくとも全てのテレビジョン受像機１が同じタイミングで起動されないようにすることができるので、テレビジョン受像機を或る程度ランダムに起動させることができる。
このとき、特に上記のようにして固有値の利用部分を数ビットに制限することによっては、制限するビット数（桁数）が「所定値」の役割を果たし、実施の形態で説明したものと同様に所定の最大待ち時間までを範囲とした複数の起動タイミングのうちから、所要数のテレビジョン受像機ごとに異なる起動タイミングが割り振られるようすることができる。つまり、これによって或る程度ランダムな待ち時間の設定と、最大待ち時間の制限の双方が可能となって、電力の集中化の防止と自動起動機能の有用性の確保との両立を図ることができる。
【００４７】
或いは、固有値を用いる以外にも、それぞれのテレビジョン受像機に対しランダムな待ち時間そのものを設定するものとしてもよい。この場合も、所要数のテレビジョン受像機ごとに、所定の最大待ち時間までを範囲とした複数の起動タイミングのうちから異なる起動タイミングが割り振られるようにして待ち時間が設定されることで、同様に電力の集中化の防止と自動起動機能の有用性の確保との両立が図られる。
【図面の簡単な説明】
【００４８】
【図１】本発明における実施の形態としてのテレビジョン受像機の内部構成を示したブロック図である。
【図２】実施の形態のテレビジョン受像機が備える受信・選局部の内部構成について示すブロック図である。
【図３】実施の形態のテレビジョン受像機がとり得る電源状態について説明するための図である。
【図４】実施の形態としてのテレビジョン受像機の動作を実現するための処理動作について示したフローチャートである。
【図５】ＭＡＣアドレスのデータ構造について示した図である。
【符号の説明】
【００４９】
１  テレビジョン受像機、２  アンテナ、３  デジタル放送受信・選局部、３０  フロントエンド部、３１  復調・誤り訂正部、３２  デマルチプレクサ、３３  ＥＷＳ検出部、４  ＭＰＥＧデコーダ、５  映像信号処理部、６  表示部、７  電源回路、８  音声信号処理部、９  スピーカ、１０  システムコントローラ、１１  ユーザインタフェース、１２  メモリ部、１３  ネットワークインタフェース、１４  バス
【図１】
2007020132.tif 000003
【図２】
2007020132.tif 000004
【図３】
2007020132.tif 000005
【図４】
2007020132.tif 000006
【図５】
2007020132.tif 000007